(57)【要約】【課題】キャリーバッグのハンドルに小物などを掛け止めることができるようにするとともに、ハンドルを下げたときにもバッグ本体側に適正に収めることができるようにすることを課題とし、利用勝手のよいキャリーバッグを提供する。【解決手段】キャリーバッグ１のハンドル５の両端に、バッグ本体３の高さ方向の上方に向けて突出した係止凸部６を設けた。【選択図】図１
0003167647.tif 000002
【実用新案登録請求の範囲】
【請求項１】
キャスターを有するバッグ本体に、伸縮可能なステーを介してハンドルが取り付けられて、バッグ本体の位置から前記ステーが伸長してバッグ本体の高さ方向での上方位置までハンドルが上げ下げできるようにしたキャリーバッグにおいて、
前記ハンドルの両端に、バッグ本体の高さ方向の上方に向けて突出した係止凸部が設けられていることを特徴とするキャリーバッグ。
【請求項２】
上記係止凸部は、上記ハンドルの両端の上面に凸状部材を取り付けてなるものである請求項１に記載のキャリーバッグ。
【請求項３】
上記係止凸部は、バッグ本体の高さ方向に凸没可能な凸状部材を突出配置させてなるものである請求項１に記載のキャリーバッグ。
【請求項４】
上記ハンドルの両端にハンドル上面がバッグ本体の高さ方向の下方に向けて凹んでなる係止凹部が設けられ、該係止凹部におけるハンドル長手方向の外側部分として上記係止凸部が形成されている請求項１に記載のキャリーバッグ。
【考案の詳細な説明】
【技術分野】
【０００１】
本考案はキャリーバッグに関するものである。
【背景技術】
【０００２】
従来からキャリーバッグは、伸縮可能なステーを介してハンドルがバッグ本体に取り付けられていて、ステーを引き伸ばすようにしてハンドルをバッグ本体から引き上げ、バッグ本体にある把手で手提げせずに前記ハンドルに手を掛けてバッグ本体を曳くことができる構造を備えている。そして、曳く際にステーの長さが変化しないようにするためや、バッグ本体のキャスター及び接地座のある部分を下部としてそのバッグ本体を立てた際に不用意にステーが縮んでハンドルが下がるということが生じないようにするために、ハンドル内部からステー内部に掛けてステー長さを変更可能に維持するロック機構を組み入れるとともに、ハンドル中央の上面に配した操作ボタンを押すことで前記ロック機構によるロックを解除できるようにした工夫が、例えば特許文献１に示されている。
【０００３】
また、キャリーバッグには、バッグ本体がハードケース仕様ばかりでなくソフトケース仕様のものもあり、バッグ本体がソフトケース仕様であるときに収納物によってバッグ本体の形状が保てなくなるのを防ぐことを目的として、さらには小物やビニール袋などを掛け止めることができるようにすることを目的として、ハンドルの下部にフックを設けておき、これにソフトケース仕様のバッグ本体を引っ掛けて型崩れを防止したり、前記フックに小物やビニール袋などを掛けることができるようにした工夫も、例えば特許文献２に示されている。
【先行技術文献】
【特許文献】
【０００４】
【特許文献１】再公表特許第２００２／０６７７１９号
【特許文献２】実用新案登録第３１６２９１９号公報
【考案の概要】
【考案が解決しようとする課題】
【０００５】
上述したようにハンドルの下にフックを設けておく工夫については、バッグ本体がハードケース仕様のものであって、ハンドルが上げ下げできるとともにロック機構によって引き上げたハンドルの高さが位置決めできる一般的なキャリーバッグにおいても利用できると考えられる。例えば、このキャリーバッグを携行していて人と待ち合わせするなどのような場合、キャリーバッグを立て置いて、ハンドルを引き出した状態のままとしておくことがよく行なわれている。そして、引き出したハンドルの高さ位置もロック機構によって変化しないことから、前述したようにハンドルの下にフックがあれば、他に携行していた小物、ビニール袋、傘などをハンドル下に吊り下げておくことで、一時的であっても手持ちする小物類がなくなるため、便利になるかと考えられる。
【０００６】
しかしながら、ハンドル下にフックを吊り下げる構造とした場合、ハンドルをバッグ本体側に降ろしたときに、フックが位置する部分が邪魔となってハンドルのバッグ本体に対する収まりが悪くなり、ハンドルをバッグ本体の外観を損なわない位置に収め置けなくなるという不具合が生じる。
【０００７】
そこで本考案は、キャリーバッグのハンドルに小物などを掛け止めることができるようにするとともに、ハンドルを下げたときにもバッグ本体側に適正に収めることができるようにすることを課題とし、利用勝手のよいキャリーバッグを提供することを目的とするものである。
【課題を解決するための手段】
【０００８】
本考案は上記課題を考慮してなされたもので、キャスターを有するバッグ本体に、伸縮可能なステーを介してハンドルが取り付けられて、バッグ本体の位置から前記ステーが伸長してバッグ本体の高さ方向での上方位置までハンドルが上げ下げできるようにしたキャリーバッグにおいて、前記ハンドルの両端に、バッグ本体の高さ方向の上方に向けて突出した係止凸部が設けられていることを特徴とするキャリーバッグを提供して、上記課題を解消するものである。
【０００９】
そして、上記係止凸部は、上記ハンドルの両端の上面に凸状部材を取り付けてなるものとすることが可能である。また、上記係止凸部は、バッグ本体の高さ方向に凸没可能な凸状部材を突出配置させてなるものとすることが可能である。さらに、上記ハンドルの両端にハンドル上面がバッグ本体の高さ方向の下方に向けて凹んでなる係止凹部が設けられ、該係止凹部におけるハンドル長手方向の外側部分として上記係止凸部が形成されているものとすることが可能である。
【考案の効果】
【００１０】
本考案によれば、カバンのベルト部分やレジ袋の手掛け部分、そして傘の柄などの手提げ物品の手掛け部分をハンドルの上側から係止凸部に掛け止めるようにすることができるようになる。そして、これら手提げ物品を外したハンドルを降ろす場合でも、そのハンドル下とバッグ本体との間に何ら障害となるものが存在せず、ハンドルをバッグ本体側に適正に収め置くことができて、キャリーバッグの主体であるバッグ本体の外観を大きく損なうことがないという優れた効果を奏する。
【図面の簡単な説明】
【００１１】
【図１】本考案に係る実施例におけるハンドルを引き上げた状態を示す説明図である。
【図２】同じくハンドルを降ろした状態を示す説明図である。
【図３】ハンドルの係止凸部を示す説明図である。
【図４】係止凸部が凸没可能である例を示す説明図である。
【図５】同じく係止凸部が凸没可能である他の例を示す説明図である。
【図６】係止凸部と係止凹部とが連続している例を示す説明図である。
【考案を実施するための形態】
【００１２】
つぎに本考案を図１から図６に示す実施の形態に基づいて詳細に説明する。
図中１はキャリーバッグで、該キャリーバッグ１は、キャスター２を有するバッグ本体３の前記キャスター２を下部としてバッグ本体３を立てたときのそのキャスター２側とは反対側となる部分に、バッグ本体３内から伸ばし出すことができる一対の伸縮可能なステー４を介してハンドル５が取り付けられていて、バッグ本体３を立てた状態でのバッグ本体３の高さ方向において、前記ハンドル５を降ろした際のバッグ本体３側での位置から前記一対のステー４を伸長してバッグ本体３の上方位置までハンドル５を上げ下げできるものである。そして、ハンドル５の引き出し高さ位置は、図示していないロック機構によりハンドル５を降ろした状態とステー４を最大に伸長させた状態でロックされたり、任意の高さ位置でロックしたりできるように設けられているものである。
【００１３】
そして、本考案においては、図示されているように上記ハンドル５の両端それぞれに、バッグ本体の高さ方向の上方、即ち、ステー４の伸縮方向であってハンドル５を上げ下げする方向に沿った方向での上方に向けて突出した係止凸部６を設けている。図示されているように、前記係止凸部６の位置は、ハンドル５での手掛け範囲から外れているハンドル端部であって、ステー４とハンドル５との連結部位の上位置となる部分である。
【００１４】
このように、バッグ本体３から引き上げて位置決めできるハンドル５の両端に係止凸部６が設けられているので、このキャリーバッグ１を立て置いてハンドル５を引き上げておけば、傘などの長尺なものでもハンドルの上方から係止凸部６に掛け止めることができるようになる。そして、係止凸部６の位置がステー４の上位置であるため、係止凸部６に掛けた物品の荷重はステー４で容易に支持でき、ハンドル５を撓ませるなどの不具合も生じない。さらに上述したように、係止凸部６それぞれがハンドル両端の上面に位置しているため、このハンドル５をバッグ本体に降ろしても係止凸部６がハンドル下とバッグ本体との間に位置することはなく、バッグ本体からハンドル部分が大きく突出してバッグ本体の外観を損なうという不具合も生じない。
【００１５】
上述した実施の例において係止凸部６は、ハンドル５と一体として形成されているものであるが、本考案は係止凸部６をハンドル５と一体に形成するものに限定されず、例えば、前記ハンドルとは別成形の合成樹脂材、ゴム材などからなる凸体をビス止めや接着剤を利用した取付を行なってもよい。図３はその一例を示していて、下部に取付板７を一体として配しているゴム製の凸体８を前記取付板７の下面に施す接着剤を介して上記ハンドル５の両端上面に貼り付けて、これによって係止凸部６を設けるようにしてもよい。
【００１６】
また、上述した実施の例での上記係止凸部６は突出形態が固定的なものとしているが、ハンドル５の両端に凸体を枢着してこの凸体をハンドル上面から起伏可能に設けておき、その凸体の上方への引き起こしによって係止凸部が形成されるようにしてもよい。また、図４に示すように、ハンドル５の両端の内部に係止凸部６を凸没可能に格納して、必要時に係止凸部６を突出操作することでその突出形態が固定的なものとなるようにしてもよく、例えば、常時上方に付勢されて突出している係止凸部を上方から押し下げて、ハンドル内部に下がった係止凸部を図示しないラッチ機構が保持して格納され、さらに下がっている係止凸部を一旦押し下げることでラッチ機構での保持が解除されて、係止凸部が突出する構成とすることが可能である。
【００１７】
さらに図５に示すように係止凸体６をハンドル５の両端の側面に上げ下げ可能に配される板状のもとのし、その上下方向のスライド操作が人の手操作で行なえるとともに、突出状態と下方に下がった降下状態とが位置決めできる構成としてもよい。
【００１８】
図６はさらに他の例を示している。この図示された例では、ハンドル５の両端にハンドル上面がバッグ本体３の高さ方向の下方に向けて凹んでなる係止凹部９が設けられていて、この係止凹部９を設けることで、ハンドル長手方向での最外側部分が上方に凸となった形態となっており、係止凹部９を設けてその係止凹部９のハンドル長手方向での外側部分として係止凸部６を形成しているものである。なお、図において符号１０はスライドカバーであり、このスライドカバー１０をハンドル長さ方向に沿ってハンドル端部側に移動することで係止凹部９を覆うことができるものであり、係止凹部９を必要に応じて覆ってハンドル５の外観を整えることができるようにしている。
【符号の説明】
【００１９】
１…キャリーバッグ
２…キャスター
３…バッグ本体
４…ステー
５…ハンドル
６…係止凸部
７…取付板
８…凸体
９…係止凹部
１０…スライドカバー
【図１】
0003167647.tif 000003
【図２】
0003167647.tif 000004
【図３】
0003167647.tif 000005
【図４】
0003167647.tif 000006
【図５】
0003167647.tif 000007
【図６】
0003167647.tif 000008